(57)【特許請求の範囲】
【請求項１】
電磁波式リモコンとの間で電磁波を送受信する電磁波式リモコン用ＲＦ（無線周波数）部と、
上記電磁波式リモコン用ＲＦ部を保持する保持部と
を有するＴＶ受像機であって、
上記電磁波式リモコン用ＲＦ部は、
ＲＦ回路基板部と、
上記ＲＦ回路基板部と離間して配置されたアンテナ部分と、
上記ＲＦ回路基板部と上記アンテナ部分との間に配置され、上記ＲＦ回路基板部内のアース系統に接続されている、アース接続部と
を有し、
上記保持部は、
ベズルに立錐する導電性支柱と、
上記ベズルに立錐する支柱と、
上記ベズルと平行して上記導電性支柱に固定された導電性板金と
を有し、
上記電磁波式リモコン用ＲＦ部の上記アース接続部が導電性固定具を用いて前記導電性板金に固定されて、上記ベズルを介して上記ＲＦ回路基板部のアース回路が確立され、
上記電磁波式リモコン用ＲＦ部のアンテナ部分が上記導電性板金から離間する位置で、上記支柱に片側保持されている、
ことを特徴とする、ＴＶ受像機。
【請求項２】
上記アース部を上記ビスを介して固定するとき、上記アンテナ部分と上記ビスとの間に電磁シールドを挿入する、
請求項１記載のＴＶ受像機。
【請求項３】
上記電磁波式リモコン用ＲＦ部の上記アンテナ部分が上記導電性板金から離間する位置で、上記支柱に片側保持されるとき、樹脂部品を用いて保持される、
請求項１または２に記載のＴＶ受像機。
【請求項４】
上記保持部および上記電磁波式リモコン用ＲＦ部は、当該ＴＶ受像機内の信号処理回路から離間した位置に配設されている、
請求項１記載のＴＶ受像機。
【請求項５】
ＴＶ受像機内の保持部に保持される電磁波式リモコンとの間で電磁波を送受信する電磁波式リモコン用ＲＦ（無線周波数）装置であって、
当該電磁波式リモコン用ＲＦ部は、
ＲＦ回路基板部と、
上記ＲＦ回路基板部と離間して配置されたアンテナ部分と、
上記ＲＦ回路基板部と上記アンテナ部分との間に配置され、上記ＲＦ回路基板部内のアース系統に接続されている、アース接続部と
を有する、
ＴＶ受像機用電磁波式リモコン用ＲＦ装置。
【請求項６】
電磁波式リモコンとの間で電磁波を送受信する電磁波式リモコン用ＲＦ（無線周波数）部と、
上記電磁波式リモコン用ＲＦ部を保持する保持部と
を有する電子機器であって、
上記電磁波式リモコン用ＲＦ部は、
ＲＦ回路基板部と、
上記ＲＦ回路基板部と離間して配置されたアンテナ部分と、
上記ＲＦ回路基板部と上記アンテナ部分との間に配置され、上記ＲＦ回路基板部内のアース系統に接続されている、アース接続部と
を有し、
上記保持部は、
ベズルに立錐する導電性支柱と、
上記ベズルに立錐する支柱と、
上記ベズルと平行して上記導電性支柱に固定された導電性板金と
を有し、
上記電磁波式リモコン用ＲＦ部の上記アース接続部が導電性固定具を用いて前記導電性板金に固定されて、上記ベズルを介して上記ＲＦ回路基板部のアース回路が確立され、
上記電磁波式リモコン用ＲＦ部の上記アンテナ部分が上記導電性板金から離間する位置で、上記支柱に片側保持されている、
ことを特徴とする、電子機器。
【発明の詳細な説明】
【技術分野】
【０００１】
本発明は、テレビジョン（ＴＶ）受像機に関する。
本発明は、特に、電磁波を用いたリモートコントローラ（以下、電磁波式リモコン）を使用するＴＶ受像機およびそれに用いる電磁波式リモコン用ＲＦ装置に関する。
【背景技術】
【０００２】
ＴＶ受像機のリモートコントローラ（遠隔制御器）として、これまで、赤外線を用いた赤外線式リモコンが使用されてきた。
赤外線式リモコンから放射される赤外線は電気信号と干渉しないから、ＴＶ受像機内の電子（電気）回路の動作に影響を及ぼさないし、他方、赤外線式リモコンから放射された赤外線がＴＶ受像機内の電子（電気）回路の動作によって影響を受けることはない。
【０００３】
最近は、電磁波を用いた電磁波式リモコンも使用されてきている。
【発明の開示】
【発明が解決しようとする課題】
【０００４】
電磁波式リモコンから放射される電磁波は、ＴＶ受像機内の電子（電気）回路の動作に影響を及ぼす可能性がある。他方、電磁波式リモコンから放射された電磁波がＴＶ受像機内の電子（電気）回路の動作によって影響を受ける可能性がある。
もちろん、電磁波式リモコンで用いる電磁波の強度は低いから、ＴＶ受像機内の電子（電気）回路の動作に影響を及ぼす可能性は低いが、ＴＶ受像機の回路は高い密度で実装されており、しかも、回路の動作電圧は低くなっているから、電磁波式リモコンからの電磁波によって影響を受ける可能性がある。他方、電磁波式リモコンから放射された電磁波の強度が低いと、ＴＶ受像機内の電子（電気）回路の動作によって影響を受ける可能性が高い。
【０００５】
以上から、電磁波式リモコンを用いたＴＶ受像機において、上述した影響を排除可能なＴＶ受像機が望まれている。同時に、アース回路を効果的に確立することが望まれている。
上述した要望は、ＴＶ受像機に限らず、電子機器、たとえば、空調機など他の装置についても同様に要望されている。
【課題を解決するための手段】
【０００６】
本発明によれば、電磁波式リモコンとの間で電磁波を送受信する電磁波式リモコン用ＲＦ（無線周波数）部と、上記電磁波式リモコン用ＲＦ部を保持する保持部とを有するＴＶ受像機であって、上記電磁波式リモコン用ＲＦ部は、ＲＦ回路基板部と、上記ＲＦ回路基板部と離間して配置されたアンテナ部分と、上記ＲＦ回路基板部と上記アンテナ部分との間に配置され、上記ＲＦ回路基板部内のアース系統に接続されている、アース接続部とを有し、上記保持部は、ベズルに立錐する導電性支柱と、上記ベズルに立錐する支柱と、上記ベズルと平行して上記導電性支柱に固定された導電性板金とを有し、上記電磁波式リモコン用ＲＦ部のアース接続部が導電性固定具を用いて前記導電性板金に固定されて、上記ベズルを介して上記ＲＦ回路基板部のアース回路が確立され、上記電磁波式リモコン用ＲＦ部のアンテナ部分が上記導電性板金から離間する位置で、上記支柱に片側保持されている、ことを特徴とする、ＴＶ受像機が提供される。
【０００７】
好ましくは、上記アース接続部を上記ビスを介して固定するとき、上記アンテナ部分と上記ビスとの間に電磁シールドを挿入する。
【０００８】
また好ましくは、上記電磁波式リモコン用ＲＦ部のアンテナ部分が上記導電性板金から離間する位置で、上記支柱に片側保持されるとき、樹脂部品を用いて保持される。
【０００９】
さらに好ましくは、上記保持部および上記電磁波式リモコン用ＲＦ部は、当該ＴＶ受像機内の信号処理回路から離間した位置に配設されている。
【００１０】
また本発明によれば、ＴＶ受像機内の保持部に保持される電磁波式リモコンとの間で電磁波を送受信する電磁波式リモコン用ＲＦ（無線周波数）部であって、当該電磁波式リモコン用ＲＦ部は、ＲＦ回路基板部と、上記ＲＦ回路基板部と離間して配置されたアンテナ部分と、上記ＲＦ回路基板部と上記アンテナ部分との間に配置され、上記ＲＦ回路基板部内のアース系統に接続されている、アース接続部とを有する、ＴＶ受像機用電磁波式リモコン用ＲＦ部が提供される。
【００１１】
さらに本発明によれば、電磁波式リモコンとの間で電磁波を送受信する電磁波式リモコン用ＲＦ（無線周波数）部と、上記電磁波式リモコン用ＲＦ部を保持する保持部と有する電子機器であって、上記電磁波式リモコン用ＲＦ部は、ＲＦ回路基板部と、上記ＲＦ回路基板部と離間して配置されたアンテナ部分と、上記ＲＦ回路基板部と上記アンテナ部分との間に配置され、上記ＲＦ回路基板部内のアース系統に接続されている、アース接続部とを有し、上記保持部は、ベズルに立錐する導電性支柱と、上記ベズルに立錐する支柱と、上記ベズルと平行して上記導電性支柱に固定された導電性板金とを有し、上記電磁波式リモコン用ＲＦ部のアース接続部が導電性固定具を用いて前記導電性板金に固定されて、上記ベズルを介して上記ＲＦ回路基板部のアース回路が確立され、上記電磁波式リモコン用ＲＦ部のアンテナ部分が上記導電性板金から離間する位置で、上記支柱に片側保持されている、ことを特徴とする、電子機器が提供される。
【発明の効果】
【００１２】
本発明によれば、電磁波式リモコン用ＲＦ部のアンテナ部分が導電部材から遠隔に隔離されるともに、追加部品を用いずに電磁波式リモコン用ＲＦ部のＲＦ回路基板部のアースが確立できる。
【発明を実施するための最良の形態】
【００１３】
以下、添付図面を参照して本発明のＴＶ受像機、および、電子機器の実施の形態について述べる。
【００１４】
第１実施の形態
図１〜図５（Ａ）、（Ｂ）を参照して本発明の第１実施の形態のＴＶ受像機について述べる。
図１は本発明のＴＶ受像機の１実施の形態の回路部分の構成図である。図２は図１に図解した本発明の１実施の形態のＴＶ受像機の回路の実装配置図である。図３は図２に図解した実装回路配置におするＲＦ基板の斜視図である。図４は図３に図解したＲＦ基板を実装する１例を示す図である。図５（Ａ）、（Ｂ）は、図４に図解した図３に図解したＲＦ基板を実装する１例を説明する図である。
【００１５】
図１において、ＴＶ受像機１は、映像処理と信号処理を行う制御信号処理部１０と、イコライザ部２０と、アンテナからのチューナ信号の入力処理を行うチューナ処理部３０と、ビデオ・オーディオ信号処理部４０と、電磁波式リモコン用ＲＦ部５０と、コントローラ６０と、液晶表示部７０とを有する。
図２は、液晶表示部７０を除いた、ＴＶ受像機１の上述した回路を基板として配置した平面図を示す。電磁波式リモコン用ＲＦ部５０が図２の下部に配置されている。
以下、電磁波式リモコン用ＲＦ部５０に関連する部分を中心に記述する。
【００１６】
図３に電磁波式リモコン用ＲＦ部５０の斜視図を示す。
電磁波式リモコン用ＲＦ部５０は、基板にＲＦ信号処理回路が搭載されたＲＦ回路基板部５２と、電磁波を送受信するアンテナ部分５４と、アース接続部５６を有する。
ＲＦ回路基板部５２とアンテナ部分５４とはアース接続部５６を挟んで対向して配置されている。
アース接続部５６は導電性部材、たとえば、銅、アルミニウムなどで製造されており、ＲＦ回路基板部５２内の電子回路のアースをとるように構成されている。すなわち、後述するように、ＲＦ回路基板部５２内の電子回路のアースがアース接続部５６を介して、そして、導電性板金９０を経由してベズル（外装部品）１００に至り、アース回路が確立される。
他方、アンテナ部分５４は、保持部（たとえば、支柱１０２がその一部）に保持されたとき、アース接続部５６が固定される導電性板金９０とは遠隔な位置に位置するような位置に配置してある。
【００１７】
図４および図５（Ａ）、（Ｂ）に図示したように、電磁波式リモコン用ＲＦ部５０を保持する保持部は、ベズル（外装部品）１００、ベズル（外装部品）１００から立錐する支柱１０２と導電性支柱１０４、導電性支柱１０４にベズル（外装部品）１００と平行に固定された導電性板金９０とを有する。
【００１８】
図３、図４、図５（Ａ）、（Ｂ）に図解したように、電磁波式リモコン用ＲＦ部５０は、導電性支柱１０４と、支柱１０２との上に固定される。
電磁波式リモコン用ＲＦ部５０は、支柱１０２に、たとえば、樹脂部品を用いて片側保持状態で固定される。
支柱１０２は導電性部材で製造されていても、非導電性部材で製造されていても良いが、支柱１０２が保持される部分の近傍にアンテナ部分５４が位置するので、支柱１０２は非導電性部材で製造されていることが望ましい。その理由は後述する。
【００１９】
アンテナ部分５４は、アース固定用板金と機能するとともに外装保持用部品である導電性板金９０とオーバーラップしないように配置する必要がある。その理由は、アンテナ部分５４のよる磁界内に導電部材が存在すると磁界が歪み、電磁波が乱れるからである。
【００２０】
他方、アース接続部５６は、電磁シールド１１０を介してビス１２０を用いて導電性板金９０に接続し、導電性板金９０、導電性支柱１０４、ベズル（外装部品）１００を介して設置しなければならない。
【００２１】
アンテナ部分５４と導電性板金９０とを干渉させないように、電磁波式リモコン用ＲＦ部５０とを離間して配置すると、電磁波式リモコン用ＲＦ部５０のアースをするとき（アース回路を確立するとき）、追加部品が必要になるが、電磁波式リモコン用ＲＦ部５０の形状を、ビス１２０を用いて電磁波式リモコン用ＲＦ部５０を導電性板金９０に固定するように構成し、導電性板金９０の形状を図示のように構成し、上記例示した配置にすることにより、追加部品が不要となる。
これにより、コストダウンを図ることができるとともに、ＴＶ受像機１内の実装を軽減することができる。
【００２２】
また、導電性板金９０を介してアンテナ部分５４をアース（大地電位）に落とすための導電性板金９０を、ベズル１００を固定する板金と併用することにより、追加部品が不要となり、上記同様、コストダウンを図ることができるとともに、ＴＶ受像機１内の実装を軽減することができる。
【００２３】
第２実施の形態
図１〜図３、および、図６（Ａ）〜（Ｄ）を参照して本発明の第２実施の形態のＴＶ受像機について述べる。
第２実施の形態において、図１〜図３に図解したものは、第１実施の形態と同様である。したがって、ＴＶ受像機１の回路構成は第１実施の形態と同様である。
【００２４】
また、図３を参照して述べた、電磁波式リモコン用ＲＦ部５０の構成および配置も第１実施の形態と同様である。すなわち、電磁波式リモコン用ＲＦ部５０は、基板にＲＦ信号処理回路が搭載されたＲＦ回路基板部５２と、電磁波を送受信するアンテナ部分５４と、アース接続部５６を有する。ＲＦ回路基板部５２とアンテナ部分５４とはアース接続部５６を挟んで対向して配置されている。
アース接続部５６は導電性部材、たとえば、銅、アルミニウムなどで製造されており、ＲＦ回路基板部５２内の電子回路のアースをとる（アース回路を確立する）ように構成されている。すなわち、後述するように、ＲＦ回路基板部５２内の電子回路のアースがアース接続部５６を介して、そして、導電性板金９０を経由してベズル（外装部品）１００に至り、アース回路か確立される。
他方、アンテナ部分５４は、保持部（たとえば、支柱１０２がその一部）に保持されたとき、アース接続部５６が固定される導電性板金９０とは遠隔な位置に位置するような位置に配置してある。
【００２５】
第２実施の形態は、図６（Ａ）〜（Ｄ）に図解した内容が、第１実施の形態と異なる。
以下、第１実施の形態との相違事項を中心に述べる。
【００２６】
図６（Ａ）〜（Ｄ）に図解したように、第２実施の形態においては、固定部１５０に支柱１０２と導電性支柱１０４とが立錐され、導電性支柱１０４に導電性板金９０が固定されている。
固定部１５０の他方の側に、外装部品を保持するベズル（外装部品）１００が固定部１５０にビス１２０で固定されている。
【００２７】
導電性支柱１０４に固定された導電性板金９０への電磁シールド１１０を介在させた電磁波式リモコン用ＲＦ部５０のアース接続部５６の固定方法、および、支柱１０２にアンテナ部分５４側を、たとえば、樹脂部品を用いて片側保持する方法は第１実施の形態と同様である。
【００２８】
したがって、第２実施の形態においても、第１実施の形態と同様、アンテナ部分５４は、アース固定用板金と機能するとともに外装保持用部品である導電性板金９０とオーバーラップしないように配置されている。
他方、アース接続部５６は、電磁シールド１１０を介してビス１２０を用いて導電性板金９０に接続し、導電性板金９０、導電性支柱１０４、固定部１５０に接続されて、アース回路が確立されている。
【００２９】
第１実施の形態と同様、アンテナ部分５４と導電性板金９０とを干渉させないように、電磁波式リモコン用ＲＦ部５０とを離間して配置すると、電磁波式リモコン用ＲＦ部５０のアースをとるとき（アース回路を確立するとき）、追加部品が必要になるが、電磁波式リモコン用ＲＦ部５０の形状を、ビス１２０を用いて電磁波式リモコン用ＲＦ部５０を導電性板金９０に固定するように構成し、導電性板金９０の形状を図示のように構成し、上記例示した配置にすることにより、追加部品が不要となる。
これにより、コストダウンを図ることができるとともに、ＴＶ受像機１内の実装を軽減することができる。
【００３０】
また、第１実施の形態でも述べたように、導電性板金９０を介してアンテナ部分５４をアースに落とす（接地する）ための導電性板金９０を、導電性支柱１０４を介して固定部１５０に固定する板金と併用することにより、追加部品が不要となり、上記同様、コストダウンを図ることができるとともに、ＴＶ受像機１内の実装を軽減することができる。
【００３１】
その他、第１実施の形態において述べたことと同様なことは、第２実施の形態についても適用される。
【００３２】
本発明の実施の形態に際しては、上述した例示に限らず、種々の変形態様をとることができる。
たとえば、本発明の１実施の形態として、ＴＶ受像機について述べたが、上述した本発明にかかる内容は、空調機など、赤外線式リモコンに代えて電磁波式リモコンを用いる、または、将来用いる可能性のある、種々の電子機器に適用することができる。
【００３３】
以上述べたように、本発明の実施の形態によれば、電磁波式リモコンを用いた場合でも、効果的に電子回路のアース回路を確立することができるとともに、アンテナ部分を導電部材から隔離することができる。
【図面の簡単な説明】
【００３４】
【図１】図１は本発明のＴＶ受像機の１実施の形態の回路部分の構成図である。
【図２】図２は図１に図解した本発明の１実施の形態のＴＶ受像機の回路の実装配置図である。
【図３】図３は図２に図解した実装回路配置におするＲＦ基板の斜視図である。
【図４】図４は図３に図解したＲＦ基板を実装する１例を示す図である。
【図５】図５（Ａ）、（Ｂ）は、図４に図解した図３に図解したＲＦ基板を実装する１例を説明する図である。
【図６】図６（Ａ）〜（Ｄ）は図３に図解したＲＦ基板を実装する他の例を示す図である。
【符号の説明】
【００３５】
１・・ＴＶ受像機、１０・・制御信号処理部、２０・・イコライザ部、３０・・アンテナ処理部、４０・・ビデオ・オーディオ信号処理部、５０・・電磁波式リモコン用ＲＦ部、５２・・ＲＦ回路基板部、５４・・アンテナ部、５６・・アース接続部、６０・・コントローラ、７０・・液晶表示部、９０・・導電性板金、１００・・ベズル（外装部品）、１０２・・支柱、１０４・・導電性支柱、１１０・・電磁シールド、１２０・・ビス、１５０・・固定部
【図１】
0004341710.tif 000002
【図５】
0004341710.tif 000003
【図２】
0004341710.tif 000004
【図３】
0004341710.tif 000005
【図４】
0004341710.tif 000006
【図６】
0004341710.tif 000007